(57)【要約】【課題】記録媒体の発行にかかわる事業者のコストを削減することができる運賃収受システム、運賃収受サーバ、改札機及び登録装置を提供することである。【解決手段】実施形態の運賃収受システムにおいて、改札機は、身分証明書用途の記録媒体から取得した身分証明書特定情報と、改札機通過情報とを運賃収受サーバに送信する。運賃収受サーバは、改札機から送信された改札機通過情報に基づいて運賃の計算を行う。運賃収受サーバは、身分証明書登録情報を記憶する記憶部から、改札機から送信された身分証明書特定情報に対応付けられたクレジットカード特定情報を取得し、計算した運賃について、前記クレジットカード特定情報取得部により取得されたクレジットカード特定情報を利用して決済を行う。【選択図】図５
2015170092.tif 000002
【特許請求の範囲】
【請求項１】
改札機と運賃収受サーバとを備え、
前記改札機は、
身分証明書用途の記録媒体と通信を行う記録媒体対応通信部と、
前記記録媒体対応通信部による通信を介して、身分証明書用途の記録媒体から、前記身分証明書用途の記録媒体を一意に示す身分証明書特定情報を取得する身分証明書特定情報取得部と、
前記身分証明書特定情報取得部により取得された身分証明書特定情報と前記改札機の通過に関する改札機通過情報とを前記運賃収受サーバに送信する収受関連情報送信部とを備え、
前記運賃収受サーバは、
前記改札機から送信された改札機通過情報に基づいて運賃の計算を行う運賃計算部と、
前記身分証明書用途の記録媒体の身分証明書特定情報ごとにクレジットカードを一意に示すクレジットカード特定情報を対応付けた身分証明書登録情報を記憶する記憶部から、前記改札機から送信された身分証明書特定情報に対応付けられたクレジットカード特定情報を取得するクレジットカード特定情報取得部と、
前記運賃計算部により計算された運賃について、前記クレジットカード特定情報取得部により取得されたクレジットカード特定情報を利用して決済を行う決済処理部と
を備える運賃収受システム。
【請求項２】
前記身分証明書特定情報は、
身分証明書としての種別を示す種別情報と、前記種別情報が示す種別において身分証明書ごとに付与された身分証明書識別子とを含む
請求項１に記載の運賃収受システム。
【請求項３】
登録装置をさらに備え、
前記登録装置は、
特定情報として、身分証明書用途の記録媒体が記憶する身分証明書特定情報と、前記身分証明書特定情報に対応付けられるクレジットカード特定情報とを取得する特定情報取得部と、
前記特定情報取得部により取得された特定情報とともに登録要求を前記運賃収受サーバに対して送信する登録要求送信部とを備える
請求項１または２に記載の運賃収受システム。
【請求項４】
改札機から送信された、前記改札機の通過に関する改札機通過情報に基づいて運賃の計算を行う運賃計算部と、
身分証明書用途の記録媒体を一意に示す身分証明書特定情報ごとにクレジットカードを一意に示すクレジットカード特定情報を対応付けた身分証明書登録情報を記憶する記憶部から、前記改札機が送信した身分証明書特定情報に対応付けられたクレジットカード特定情報を取得するクレジットカード特定情報取得部と、
前記運賃計算部により計算された運賃について、前記クレジットカード特定情報取得部により取得されたクレジットカード特定情報を利用して決済を行う決済処理部と
を備える運賃収受サーバ。
【請求項５】
身分証明書用途の記録媒体と通信を行う記録媒体対応通信部と、
前記記録媒体対応通信部による通信を介して、身分証明書用途の記録媒体から、前記身分証明書用途の記録媒体を一意に示す身分証明書特定情報を取得する身分証明書特定情報取得部と、
前記身分証明書特定情報取得部により取得された身分証明書特定情報と改札機の通過に関する改札機通過情報とを運賃収受サーバに送信する収受関連情報送信部と
を備える改札機。
【請求項６】
特定情報として、身分証明書用途の記録媒体が記憶する身分証明書特定情報と、前記身分証明書特定情報に対応付けられるクレジットカード特定情報とを取得する特定情報取得部と、
前記特定情報取得部により取得された特定情報とともに登録要求を運賃収受サーバに対して送信する登録要求送信部と
を備える登録装置。
【発明の詳細な説明】
【技術分野】
【０００１】
本発明の実施形態は、運賃収受システム、運賃収受サーバ、改札機及び登録装置に関する。
【背景技術】
【０００２】
公共交通機関の運賃の支払いにあたり、ＳＦ（Stored Fare）機能を有するＩＣ（Integrated Circuit）カードや、クレジットカードなどでの後払いによる決済が可能なＩＣカードなどの使用が広く普及している。
利用客は、改札機や車内の運賃支払機などの所定位置にＩＣカードをかざすだけで、現金を扱うことなく運賃の支払いを済ませることができ、例えば改札の通り抜けやバスへの乗車などがスムーズに行われる。
【０００３】
ＩＣカードは、例えば公共交通機関の事業者などから、無償あるいは一定の保証金などの支払いに応じて利用客に発行される。しかし、ＩＣカードは比較的高価なデバイスであることから、保証金の支払いがあるとしても、事業者がＩＣカードのコストを十分にまかなうことができない場合がある。また、顧客にＩＣカードを発行するにあたって、ＩＣカード自体の費用については、事業者がほとんどをまかなっている。そのため、事業者としては、ＩＣカードを顧客に発行するためのコストが相当の負担になっている。
【先行技術文献】
【特許文献】
【０００４】
【特許文献１】特許第４４９９０３６号公報
【発明の概要】
【発明が解決しようとする課題】
【０００５】
本発明が解決しようとする課題は、記録媒体の発行にかかわる事業者のコストを削減することができる運賃収受システム、運賃収受サーバ、改札機及び登録装置を提供することである。
【課題を解決するための手段】
【０００６】
実施形態の運賃収受システムは、改札機と運賃収受サーバとを持つ。改札機は、記録媒体対応通信部と、身分証明書特定情報取得部と、収受関連情報送信部とを持つ。記録媒体対応通信部は、身分証明書用途の記録媒体と通信を行う。身分証明書特定情報取得部は、前記記録媒体対応通信部による通信を介して、身分証明書用途の記録媒体から、前記身分証明書用途の記録媒体を一意に示す身分証明書特定情報を取得する。収受関連情報送信部は、前記身分証明書特定情報取得部により取得された身分証明書特定情報と前記改札機の通過に関する改札機通過情報とを前記運賃収受サーバに送信する。運賃収受サーバは、運賃計算部と、クレジットカード特定情報取得部と、決済処理部とを持つ。運賃計算部は、前記改札機から送信された改札機通過情報に基づいて運賃の計算を行う。クレジットカード特定情報取得部は、前記身分証明書用途の記録媒体の身分証明書特定情報ごとにクレジットカードを一意に示すクレジットカード特定情報を対応付けた身分証明書登録情報を記憶する記憶部から、前記改札機から送信された身分証明書特定情報に対応付けられたクレジットカード特定情報を取得する。決済処理部は、前記運賃計算部により計算された運賃について、前記クレジットカード特定情報取得部により取得されたクレジットカード特定情報を利用して決済を行う。
【図面の簡単な説明】
【０００７】
【図１】本実施形態における運賃収受システムの構成例を示す図。
【図２】本実施形態におけるＩＣカードの構成例を示す図。
【図３】本実施形態の改札機の構成例を示す図。
【図４】本実施形態の登録装置の構成例を示す図。
【図５】本実施形態の運賃収受サーバの構成例を示す図。
【図６】本実施形態における身分証明書登録情報の構造例を示す図。
【図７】本実施形態における登録装置と運賃収受サーバとが運賃収受に使用する身分証明書用途のＩＣカードを登録するために実行する処理手順例を示すフローチャート。
【図８】本実施形態における改札機が身分証明書用途のＩＣカードの使用による運賃の収受に対応して実行する処理手順例を示すフローチャート。
【図９】本実施形態における運賃収受サーバが運賃収受に対応して実行する処理手順例を示すフローチャート。
【発明を実施するための形態】
【０００８】
以下、実施形態の運賃収受システム及び運賃収受サーバを、図面を参照して説明する。
図１は、本実施形態の運賃収受システムの全体的な構成例を示している。同図に示す運賃収受システムは、駅１において改札機２００及び登録装置３００を備える。
なお、同図においては図示を簡略にすることの便宜上、駅１において、各１つの改札機２００と登録装置３００とが示されているが、改札機２００と登録装置３００とのいずれもが駅１において複数備えられてよい。
【０００９】
駅１においては、改札口に改札機２００が備えられる。改札機２００は、ＩＣカード（記録媒体の一例）１００と通信を行うことにより改札処理を行うことができる。
本実施形態におけるＩＣカード１００は、身分証明書用途である。即ち、本実施形態のＩＣカード１００は、公的機関が個人を対象として発行した所定のＩＣカードであって、身分証明書として使用することのできるＩＣカードである。
【００１０】
本実施形態の運賃収受システムは、ＩＣカード１００として複数の種別に対応して運賃収受が可能である。例えば、ＩＣカード１００の種別として、運転免許証、パスポート（旅券）、健康保険被保険者証、住基カード（住民基本台帳カード）などを挙げることができる。これらの種別の身分証明書は、例えばＩＳＯ１４４４３のＴｙｐｅ−Ｂ通信方式に対応したＩＣカードとして発行されている。
【００１１】
なお、本実施形態における運賃収受システムにおいても、事業者が発行するプリペイドカード機能を有するＩＣカードなどに対応して運賃収受が可能に構成されてよい。
【００１２】
駅１における登録装置３００は、ＩＣカード１００を本実施形態の運賃収受システムで利用できるようにするための登録を行う装置である。
利用客は、自分の所持するＩＣカード１００の登録にあたり、登録装置３００に自分の所持するＩＣカード１００と通信を実行させる。ＩＣカード１００との通信により、登録装置３００は、ＩＣカード１００から、身分証明書としてのＩＣカード１００を一意に特定する情報（身分証明書特定情報）を取得する。
【００１３】
本実施形態において、身分証明書としてのＩＣカード１００は、身分証明書識別子を記憶する。
身分証明書識別子は、身分証明書の種別ごとにおいて身分証明書ごとに付与された識別子である。
具体例として、身分証明書識別子は、運転免許証の場合には運転免許証番号であり、パスポートの場合にはパスポート番号である。また、身分証明書識別子は、健康保険被保険者証の場合には記号と番号と保険者番号との組み合わせによる保険者番号であり、住基カードの場合には例えば住民票コードである。
また、ＩＣカード１００は、上記の身分証明書識別子のほかに、種別情報と氏名情報の少なくともいずれか一方を記憶する。
種別情報は、身分証明書としての種別を示す情報である。氏名情報は、身分証明書により証明される個人としての氏名を示す情報である。
【００１４】
登録装置３００は、通信相手のＩＣカード１００が身分証明書識別子と種別情報とを記憶している場合、身分証明書識別子と種別情報とを身分証明書特定情報として取得する。
また、登録装置３００は、通信相手のＩＣカード１００が身分証明書識別子と氏名情報とを記憶している場合、身分証明書識別子と氏名情報とを身分証明書特定情報として取得する。
また、登録装置３００は、通信相手のＩＣカード１００が身分証明書識別子と種別情報と氏名情報とを記憶している場合、身分証明書識別子と種別情報とを身分証明書特定情報として取得する。この場合において、身分証明書特定情報に含める情報を、氏名情報ではなく種別情報としているのは、身分証明書識別子と種別情報との組み合わせのほうが一義的に身分証明書を特定できることによる。
【００１５】
また、利用客は、運賃収受に際して運賃収受サーバ４００が使用するクレジットカード特定情報を登録装置３００に入力する。クレジットカード特定情報は、クレジットカードを一意に示す情報であり、例えば、カード会社、カード名義人、カード番号、有効期限などの情報を含む。利用客は、上記のカード会社、カード名義人、カード番号、有効期限などの情報をそれぞれ登録装置３００に入力する。登録装置３００は、入力されたカード会社、カード名義人、カード番号、有効期限などの情報を、クレジットカード特定情報として取得する。
利用客は、登録装置３００にクレジットカードと通信を実行させ、クレジットカード特定情報としての各情報をクレジットカードから読み込ませる。このようにクレジットカードから情報を読み込むことで、登録装置３００はクレジットカード特定情報を取得することができる。
また、登録装置３００について、タッチパネルやボタン、キーなどの操作部に対する操作によりクレジットカード特定情報としての各情報を入力可能なように構成してもよい。このように構成することで、登録装置３００は、利用客の操作によって入力された情報をクレジットカード特定情報として取得できる。
【００１６】
このように、登録装置３００は、利用客の登録装置３００に対してＩＣカード１００やクレジットカードを読み込ませる操作や、操作部に対する入力操作などに応じて、身分証明書特定情報とクレジットカード特定情報とを取得する。
なお、駅１に備えられる登録装置３００は、登録専用に備えられる装置であってもよいし、登録機能が与えられた自動券売機などであってもよい。
【００１７】
運賃収受サーバ４００は、駅１における改札機２００及び登録装置３００と駅間通信網５００を介して通信可能に接続されている。なお、図示の便宜上、同図においては１つの駅１のみが示されているが、運賃収受サーバ４００は、複数の異なる駅１のそれぞれにおける改札機２００及び登録装置３００と駅間通信網５００を介して通信可能に接続されている。
また、同図においては、運賃収受サーバ４００に対して、改札機２００と登録装置３００とのそれぞれが個別に駅間通信網５００経由で接続される態様を示している。しかし、例えば駅１において運賃収受サーバ４００と駅間通信網５００経由で接続されるルータなどのような通信装置を設け、通信装置経由で改札機２００と登録装置３００とが運賃収受サーバ４００と接続されるような構成としてもよい。
【００１８】
運賃収受サーバ４００は、登録装置３００との通信により、運賃収受に利用されるＩＣカード１００を登録する。前述のように、登録装置３００は、利用客の登録操作に応じて、身分証明書特定情報とクレジットカード特定情報とを取得する。登録装置３００は、取得した身分証明書特定情報とクレジットカード特定情報とを含む登録要求を駅間通信網５００経由で運賃収受サーバ４００に送信する。
運賃収受サーバ４００は、登録要求の受信に応答してＩＣカード１００が運賃収受で利用可能なように登録を行う。つまり、運賃収受サーバ４００は、受信された登録要求に含まれる身分証明書特定情報と、同じ登録要求に含まれるクレジットカード特定情報とが対応付けられた身分証明書登録情報を記憶する。
【００１９】
また、運賃収受サーバ４００は、改札機２００との通信により、登録されたＩＣカード１００を利用した乗降に応じた運賃の収受を行う。一例として、運賃収受サーバ４００は、以下のように運賃収受を行う。
或る駅１の改札機２００は、入場（乗車）のための利用客の通過に際してＩＣカード１００と通信を行って、身分証明書特定情報を取得する。改札機２００は、取得した身分証明書特定情報と入場駅情報とを含む、入場対応の収受関連情報を運賃収受サーバ４００に送信する。
収受関連情報は、ＩＣカードを使用した運賃収受に関連して運賃収受サーバ４００が利用する情報である。また、収受関連情報における入場駅情報は、改札機２００が備えられる駅１が入場駅（乗車駅）であることを示す情報を含む。入場駅情報は、入場のための改札機の通過に関する改札機通過情報の一例である。
【００２０】
また、或る他の駅１の改札機２００は、出場（下車）のための利用客の通過に際してもＩＣカード１００と通信を行って、身分証明書特定情報を取得する。改札機２００は、取得した身分証明書特定情報と出場駅情報とを含む、出場対応の収受関連情報を運賃収受サーバ４００に送信する。ここで、出場駅情報は、改札機２００が備えられる駅１が出場駅（下車駅）であることを示す情報を含む。出場駅情報は、出場のための改札機の通過に関する改札機通過情報の一例である。
【００２１】
運賃収受サーバ４００は、まず、或る駅１の改札機２００から入場対応の収受関連情報を受信する。その後において、運賃収受サーバ４００は、或る他の駅１の改札機２００から同じ身分証明書特定情報を含む出場対応の収受関連情報を受信する。
運賃収受サーバ４００は、同じ身分証明書特定情報を含む入場対応の収受関連情報と出場対応の収受関連情報のそれぞれに含まれる入場駅情報と出場駅情報から、入場駅と出場駅とを認識する。運賃収受サーバ４００は、認識した入場駅と出場駅とに基づいて運賃を計算する。
【００２２】
次に、運賃収受サーバ４００は、入場対応の収受関連情報と出場対応の収受関連情報のそれぞれに共通に含まれる身分証明書特定情報に対応付けられたクレジットカード特定情報を身分証明書登録情報から取得する。
【００２３】
運賃収受サーバ４００とカード会社サーバ６００とはカード会社間通信網７００により接続されている。なお、同図においては、カード会社間通信網７００と駅間通信網５００とが異なる通信網である場合を示しているが、カード会社間通信網７００と駅間通信網５００とは共通の通信網が使用されてもよい。
【００２４】
カード会社サーバ６００は、クレジットカード会社が運営するサーバである。カード会社サーバ６００は、対応のクレジットカードの使用に応じた決済を実行するサーバである。同図においては、１つのカード会社サーバ６００のみが示されている。しかし、カード会社サーバ６００は異なるクレジットカード会社ごとに複数が運賃収受サーバ４００と接続されればよい。
【００２５】
運賃収受サーバ４００は、カード会社サーバ６００との決済にあたり、前述のように身分証明書登録情報から取得したクレジットカード特定情報により特定されるクレジットカードを利用して、先に算出した運賃の収受に対応する処理を実行する。
この場合、運賃収受サーバ４００は、算出した運賃をカード会社サーバ６００に対して請求する。カード会社サーバ６００側は、請求された運賃を鉄道事業者に立替代金として支払うとともに、立替代金として支払った運賃を利用客の銀行口座から引き落とす。
【００２６】
このように、本実施形態の運賃収受システムでは、ＩＣカード１００の使用に応じて運賃収受が可能である。このようにＩＣカードが運賃収受に使用可能になることで、交通機関の事業者がＩＣカードを発行しなくともよくなる。事業者がＩＣカードを発行しなくともよくなることで、事業者のＩＣカード発行のためのコスト的な負担が軽減される。
【００２７】
また、現状においては、交通機関の事業者ごとに発行するＩＣカードが異なっている。現在、ＩＣカードの事業者間での相互利用が推し進められてはいるが未だ万全ではない。このため、複数の事業者のＩＣカードを使い分けている利用客も依然として存在する。
そこで、各交通機関の事業者が本実施形態の運賃収受システムを導入すれば、利用客は、全ての交通機関についてＩＣカード１００を使用して運賃を支払うことができる。つまり、利用客は、交通機関の運賃の支払いにあたり交通機関ごとのＩＣカードを持たなくともよく、ＩＣカード１００を１枚だけ所持していればよくなる。
身分証明書は、これを所持する者の身分を証明する証書であることから、利用客は、少なくとも１種類を常に所持している場合がほとんどである。つまり、利用客は、本実施形態の運賃収受システムを利用するにあたり、新たにＩＣカードを入手することなく、すでに所持している身分証明書をそのまま公共交通機関の運賃収受に使用することができる。
【００２８】
図２を参照して、ＩＣカード１００の構成例について説明する。同図に示すＩＣカード１００は、通信部１０１、制御部１０２及び記憶部１０３を備える。
通信部１０１は、所定の非接触通信方式によって、改札機２００や登録装置３００と通信を実行する。
制御部１０２は、ＩＣカード１００としての機能を実現するための各種制御を実行する。
記憶部１０３は、制御部１０２が利用する各種の情報を記憶する。記憶部１０３は、身分証明書特定情報を記憶する。記憶部１０３は、前述のように、身分証明書特定情報として、種別情報と氏名情報の少なくともいずれか一方と、身分証明書識別子とを記憶する。
【００２９】
例えば、改札機２００または登録装置３００は、ＩＣカード１００の通信部１０１と通信が可能となるのに応じて、ＩＣカード１００に身分証明書特定情報を要求する。制御部１０２は、身分証明書特定情報の要求に応じて記憶部１０３から身分証明書特定情報を読み出す。
この際、改札機２００または登録装置３００は、ＩＣカード１００が種別情報と身分証明書識別子とを記憶している場合には、種別情報と身分証明書識別子とを身分証明書特定情報として要求する。ＩＣカード１００の制御部１０２は、このような要求に応答して、種別情報と身分証明書識別子とを記憶部１０３から読み出す。
また、改札機２００または登録装置３００は、ＩＣカード１００が氏名情報と身分証明書識別子とを記憶されている場合には、氏名情報と身分証明書識別子とを身分証明書特定情報として要求する。ＩＣカード１００の制御部１０２は、このような要求に応答して、氏名情報と身分証明書識別子とを記憶部１０３から読み出す。
また、改札機２００または登録装置３００は、ＩＣカード１００が種別情報と氏名情報と身分証明書識別子とを記憶している場合には、種別情報と身分証明書識別子とを身分証明書特定情報として要求する。ＩＣカード１００の制御部１０２は、このような要求に応答して、種別情報と身分証明書識別子とを記憶部１０３から読み出す。
制御部１０２は、上記のように読み出した身分証明書特定情報を通信部１０１から、通信相手の改札機２００または登録装置３００に送信させる。
【００３０】
次に、図３を参照して、改札機２００の構成例について説明する。同図に示す改札機２００は、カード対応通信部２０１、駅間通信網対応通信部２０２、制御部２０３、構内側扉２０４及び構外側扉２０５を備える。
【００３１】
カード対応通信部（記録媒体対応通信部の一例）２０１は、所定の非接触通信方式により、ＩＣカード１００と通信を実行する。なお、カード対応通信部２０１は、身分証明書用途以外であって、交通機関の事業者が発行する乗車券、定期券用途のＩＣカード１００とも通信を実行可能である。
駅間通信網対応通信部２０２は、駅間通信網５００経由で運賃収受サーバ４００と通信を実行する。
【００３２】
制御部２０３は、改札機２００としての各種機能を実現するための各種制御を実行する。
制御部２０３は、ＩＣカード１００の使用による運賃収受に対応する機能部として、身分証明書特定情報取得部２３１と収受関連情報送信部２３２とを備える。また、制御部２０３は、改札機２００が備える構内側扉２０４及び構外側扉２０５などの部位の動作を制御するための改札動作制御部２３３を備える。
【００３３】
身分証明書特定情報取得部２３１は、カード対応通信部２０１による通信を介して、ＩＣカード１００から身分証明書特定情報を取得する。
収受関連情報送信部２３２は、収受関連情報を運賃収受サーバ４００に送信する。つまり、収受関連情報送信部２３２は、身分証明書特定情報取得部２３１により取得された身分証明書特定情報と、改札機２００の通過に関する改札機通過情報とを運賃収受サーバ４００に送信する。
【００３４】
改札動作制御部２３３は、前述のように、構内側扉２０４及び構外側扉２０５などの改札機２００における所定部位の動作を制御する。
【００３５】
構内側扉２０４は、改札機２００の駅構内側に備えられる扉である。
構外側扉２０５は、改札機２００の駅構外側に備えられる扉である。構内側扉２０４と構外側扉２０５は、改札動作制御部２３３の制御によって開閉が行われる。
【００３６】
次に、図４を参照して登録装置３００の構成例について説明する。同図に示す登録装置３００は、カード対応通信部３０１、操作部３０２、駅間通信網対応通信部３０３及び制御部３０４を備える。
カード対応通信部３０１は、ＩＣカード１００と通信を実行する。
【００３７】
操作部３０２は、利用客によりクレジットカード特定情報の入力などのための操作が行われる部位である。操作部３０２は、入力されたクレジットカード特定情報を制御部３０４に受け渡す。前述のように、クレジットカード特定情報は、カード会社、カード名義人、カード番号、有効期限などの情報を含む。
【００３８】
駅間通信網対応通信部３０３は、駅間通信網５００経由で運賃収受サーバ４００と通信を実行する。
【００３９】
制御部３０４は、登録装置３００としての機能を実現するための各種制御を実行する。制御部３０４は、特定情報取得部３４１と、登録要求送信部３４２とを備える。
【００４０】
特定情報取得部３４１は、特定情報として、身分証明書特定情報とクレジットカード特定情報とを取得する。
特定情報取得部３４１は、カード対応通信部３０１がＩＣカード１００と通信を行ったのに応じて、ＩＣカード１００に身分証明書特定情報を要求する。特定情報取得部３４１は、要求に応答してＩＣカード１００から送信された身分証明特定識別子を、カード対応通信部３０１経由で取得する。
前述のように、ＩＣカード１００から取得される身分証明書特定情報は、種別情報と身分証明書識別子とを含む身分証明書特定情報と、氏名情報と身分証明書識別子とを含む身分証明書特定情報とのいずれかである。
【００４１】
また、特定情報取得部３４１は、操作部３０２に対する操作により入力されたクレジットカード特定情報が操作部３０２から受け渡されるのに応じて、受け渡されたクレジットカード特定情報を取得する。
【００４２】
登録要求送信部３４２は、特定情報取得部３４１により取得された特定情報（身分証明書特定情報とクレジットカード特定情報）とともに登録要求を運賃収受サーバ４００に対して送信する。登録要求は、運賃収受サーバ４００に対して、運賃収受に使用するＩＣカード１００の登録を要求するコマンドである。
具体的に、登録要求送信部３４２は、特定情報取得部３４１により取得された特定情報を含む登録要求を生成する。登録要求送信部３４２は、生成した登録要求を、駅間通信網５００経由で運賃収受サーバ４００に送信すればよい。
【００４３】
次に、図５を参照して、運賃収受サーバ４００の構成例について説明する。同図に示す運賃収受サーバ４００は、駅間通信網対応通信部４０１、カード会社間通信網対応通信部４０２、制御部４０３及び記憶部４０４を備える。
【００４４】
駅間通信網対応通信部４０１は、駅間通信網５００経由で改札機２００、登録装置３００と通信を実行する。
カード会社間通信網対応通信部４０２は、カード会社間通信網７００経由でカード会社サーバ６００と通信を実行する。
【００４５】
制御部４０３は、運賃収受サーバ４００としての機能を実現するための各種制御を実行する。制御部４０３は、登録処理部４３１、運賃計算部４３２、クレジットカード特定情報取得部４３３、及び決済処理部を備える。
【００４６】
登録処理部４３１は、登録装置３００から受信した登録要求に応じて、運賃収受に使用されるＩＣカード１００を登録する処理を実行する。
つまり、登録処理部４３１は、登録要求を受信すると、受信された登録要求に含まれる身分証明書特定情報に、同じ登録要求に含まれるクレジットカード特定情報を対応付けた身分証明書登録情報を生成する。登録処理部４３１は、生成した身分証明書登録情報を、記憶部４０４の身分証明書登録情報記憶部４４３に記憶させる。このようにして１つのＩＣカード１００が運賃収受に使用されるＩＣカードとして登録される。
【００４７】
運賃計算部４３２は、改札機２００から送信された改札機通過情報に基づいて運賃の計算を行う。本実施形態における改札機通過情報は収受関連情報に含められて改札機２００から送信される。
つまり、１人の利用客が交通機関を利用するのに応じて、まず、入場駅の改札機２００は入場対応の収受関連情報を運賃収受サーバ４００に送信する。この後、出場駅の改札機２００は、同じ身分証明書特定情報を含む出場対応の収受関連情報を運賃収受サーバ４００に送信する。
【００４８】
運賃計算部４３２は、駅間通信網対応通信部４０１が受信した入場対応の収受関連情報と出場対応の収受関連情報とを取得する。なお、出場対応の収受関連情報が受信されるまでの間、入場対応の収受関連情報は、記憶部４０４における収受関連情報記憶部４４１にて記憶される。
【００４９】
運賃計算部４３２は、出場対応の収受関連情報が受信されるのに応じて、先に受信された入場対応の収受関連情報から、改札機通過情報である入場駅情報を取得する。また、今回受信された出場対応の収受関連情報から、改札機通過情報である出場駅情報を取得する。
記憶部４０４において、運賃情報記憶部４４２は運賃情報を記憶する。運賃情報は例えば入場駅と出場駅の組み合わせごとの運賃を示すテーブルである。なお、運賃情報は、例えば特定の区間や特定の時間における割引額や、一定区間において乗降が自由な路線などに対応した運賃についての情報も格納されてよい。
運賃計算部４３２は、取得した入場駅情報と出場駅情報とがそれぞれ示す入場駅と出場駅と、運賃情報記憶部４４２が記憶する運賃情報とを照合する。運賃計算部４３２は、照合の結果、入場駅と出場駅に該当する運賃を特定する。このように特定された運賃が、運賃計算部４３２による運賃の計算結果である。
【００５０】
クレジットカード特定情報取得部４３３は、身分証明書登録情報を記憶する記憶部４０４から、改札機２００から送信された身分証明書特定情報に対応付けられたクレジットカード特定情報を取得する。
本実施形態における身分証明書特定情報は、収受関連情報に含められて改札機２００から送信される。また、身分証明書登録情報は、記憶部４０４において、身分証明書登録情報記憶部４４３に記憶されている。
【００５１】
決済処理部４３４は、運賃計算部４３２により計算された運賃について、クレジットカード特定情報取得部４３３により取得されたクレジットカード特定情報を利用して決済を行う。決済処理部４３４による決済は、クレジットカード特定情報が示すクレジットカードを使用した決済である。決済処理部４３４は、クレジットカード特定情報が示すクレジットカードの使用による決済を、カード会社間通信網７００経由の通信を介してカード会社サーバ６００との間で実行する。
具体的には、前述したように、決済処理部４３４は、クレジットカード特定情報の送信とともに、カード会社サーバ６００に対して運賃を請求する。カード会社サーバ６００側は、請求された運賃を鉄道事業者に対して立替代金として支払うとともに、立替代金として支払った運賃を、クレジットカード特定情報が示すクレジットカードの利用客の銀行口座から引き落とす。
【００５２】
記憶部４０４は、制御部４０３が利用する各種の情報を記憶する。記憶部４０４は、収受関連情報記憶部４４１、運賃情報記憶部４４２及び身分証明書登録情報記憶部４４３を備える。
収受関連情報記憶部４４１は、受信された入場対応の収受関連情報を記憶する。このように、入場対応の収受関連情報が記憶されることで、同じ身分証明書特定情報を含む出場対応の収受関連情報が受信されるまで、入場対応の収受関連情報が消失することなく運賃収受サーバ４００にて保持される。
【００５３】
運賃情報記憶部４４２は、運賃情報を記憶する。前述のように、運賃情報は、例えば入場駅と出場駅の組み合わせごとの運賃を示すテーブルである。
身分証明書登録情報記憶部４４３は、身分証明書登録情報を記憶する。
【００５４】
図６は、身分証明書登録情報記憶部４４３が記憶する身分証明書登録情報の構造例を示す。身分証明書登録情報記憶部４４３は、身分証明書用途ＩＣカード１００ごとに対応する身分証明書登録情報をテーブル構造により格納する。
同図に示すように、１つの身分証明書用途のＩＣカード１００に対応する身分証明書登録情報は、身分証明書特定情報にクレジットカード特定情報が対応付けられた構造である。
身分証明書特定情報は、種別情報と氏名情報のいずれか一方と、身分証明書識別子とを含む。クレジットカード特定情報は、カード会社、カード名義人、カード番号、有効期限の情報を含む。
【００５５】
これまでの説明から理解されるように、身分証明書登録情報に格納されるクレジットカード特定情報と身分証明書特定情報は、登録装置３００から受信した登録要求に含まれていた情報である。
従って、ＩＣカード１００ごとに対応して身分証明書登録情報が格納する身分証明書特定情報としては、種別情報と身分証明書識別子とによるものと、氏名情報と身分証明書識別子によるものとのいずれかとなる。
また、同図の種別情報において示される種別Ａ、種別Ｂは、それぞれ、運転免許証、パスポート（旅券）、健康保険被保険者証、住基カードなどのうちのいずれかの種別に応じた値により表される。
また、同図において示される身分証明書特定情報における氏名情報とクレジットカード特定情報におけるカード名義人としてのユーザＡ〜Ｄは、それぞれ、対応の利用客の氏名を示す文字情報として表される。
【００５６】
続いて、図７のフローチャートを参照して、登録装置３００と運賃収受サーバ４００とが、運賃収受に使用するＩＣカード１００を登録するための処理手順例について説明する。
【００５７】
登録装置３００において、特定情報取得部３４１は、登録操作として利用客がＩＣカード１００をカード対応通信部３０１と通信させたのに応じて、ＩＣカード１００から身分証明書特定情報を取得する（ステップＳ１０１）。
このために、特定情報取得部３４１は、ＩＣカード１００に身分証明書特定情報を要求する。
特定情報取得部３４１は、前述のように、ＩＣカード１００が種別情報と身分証明書識別子とを記憶している場合には、身分証明書特定情報として種別情報と身分証明書識別子とを要求する。
また、特定情報取得部３４１は、ＩＣカード１００が氏名情報と身分証明書識別子とを記憶している場合には、身分証明書特定情報として氏名情報と身分証明書識別子とを要求する。
また、ＩＣカード１００が種別情報と氏名情報と身分証明書識別子とを記憶している場合には、身分証明書特定情報として種別情報と身分証明書識別子とを要求する。
【００５８】
通信相手であるＩＣカード１００において、制御部１０２は、身分証明書特定情報の要求に応答して、記憶部１０３が記憶する身分証明書特定情報を読み出す。
制御部１０２は、身分証明書特定情報として種別情報と身分証明書識別子とが要求されたのであれば、種別情報と身分証明書識別子とを記憶部１０３から読み出す。
また、制御部１０２は、身分証明書特定情報として氏名情報と身分証明書識別子とが要求されたのであれば、氏名情報と身分証明書識別子とを記憶部１０３から読み出す。
また、制御部１０２は、身分証明書特定情報として種別情報と氏名情報と身分証明書識別子とが要求されたのであれば、種別情報と身分証明書識別子とを記憶部１０３から読み出す。
制御部１０２は、上記のように記憶部１０３から読み出した情報を身分証明書特定情報として通信部１０１から登録装置３００に送信する。
上記のように送信された身分証明書特定情報は、登録装置３００のカード対応通信部３０１にて受信される。登録装置３００において、特定情報取得部３４１は、カード対応通信部３０１にて受信された身分証明書特定情報を取得する。
【００５９】
上記の説明のように、登録装置３００は、種別情報と身分証明書識別子とを含む身分証明書特定情報と、氏名情報と身分証明書識別子とを含む身分証明書特定情報とのいずれかをＩＣカード１００から取得する。
【００６０】
また、特定情報取得部３４１は、利用客の操作部３０２に対するクレジットカード特定情報の入力操作に応じて、入力されたクレジットカード特定情報を取得する（ステップＳ１０２）。
【００６１】
登録要求送信部３４２は、利用客の操作部３０２に対する操作として、登録を指示する登録指示操作が行われるのを待機する（ステップＳ１０３−ＮＯ）。
そして、登録指示操作が行われると（ステップＳ１０３−ＹＥＳ）、登録要求送信部３４２は、ステップＳ１０１により取得した身分証明書特定情報と、ステップＳ１０２により取得したクレジットカード特定情報とを含む登録要求を生成する（ステップＳ１０４）。登録要求送信部３４２は、生成した登録要求を運賃収受サーバ４００に対して送信する（ステップＳ１０５）。
【００６２】
運賃収受サーバ４００において、登録処理部４３１は、登録要求が受信されるのを待機している（ステップＳ２０１−ＮＯ）。
そして、登録要求が受信されると（ステップＳ２０１−ＹＥＳ）、登録処理部４３１は、受信された登録要求に含まれる身分証明書特定情報とクレジットカード特定情報とを対応付けた身分証明書登録情報を生成する（ステップＳ２０２）。登録処理部４３１は、生成した身分証明書登録情報を身分証明書登録情報記憶部４４３に記憶させる（ステップＳ２０３）。
【００６３】
次に、図８のフローチャートを参照して、改札機２００がＩＣカード１００の使用による運賃の収受に対応して実行する処理手順例について説明する。
改札機２００におけるカード対応通信部２０１は、身分証明書用途のＩＣカード１００との通信が開始されるのを待機している（ステップＳ３０１−ＮＯ）。
【００６４】
ＩＣカード１００との通信が開始されると（ステップＳ３０１−ＹＥＳ）、身分証明書特定情報取得部２３１は、通信相手のＩＣカード１００から身分証明書特定情報を取得する（ステップＳ３０２）。
これまでの説明から理解されるように、身分証明書特定情報取得部２３１は、通信相手のＩＣカードが種別情報と身分証明書識別子とを記憶していれば、種別情報と身分証明書識別子とを身分証明書特定情報として取得する。
また、身分証明書特定情報取得部２３１は、通信相手のＩＣカードが氏名情報と身分証明書識別子とを記憶していれば、氏名情報と身分証明書識別子とを身分証明書特定情報として取得する。
また、身分証明書特定情報取得部２３１は、通信相手のＩＣカードが種別情報と氏名情報と身分証明書識別子とを記憶していれば、種別情報と身分証明書識別子とを身分証明書特定情報として取得する。
【００６５】
次に、収受関連情報送信部２３２は、改札機通過情報と、ステップＳ３０２により取得した身分証明書特定情報とを含む収受関連情報を生成する（ステップＳ３０３）。
ここで、ステップＳ３０３において、今回のＩＣカード１００との通信が、改札内への入場のための改札機２００の通過に対応する場合、収受関連情報送信部２３２は、改札機通過情報として入場駅情報を収受関連情報に含める。
一方、今回のＩＣカード１００との通信が、改札外への出場のための改札機２００の通過に対応する場合、収受関連情報送信部２３２は、改札機通過情報として出場駅情報を収受関連情報に含める。
【００６６】
収受関連情報送信部２３２は、ステップＳ３０３により生成した収受関連情報を、駅間通信網対応通信部２０２を介して運賃収受サーバ４００に対して送信する（ステップＳ３０４）。
【００６７】
なお、改札機２００における改札動作制御部２３３は、利用客の入場あるいは出場のための改札機２００の通過に応じて、構内側扉２０４、構外側扉２０５などの動作を制御する。しかし、同図では、改札動作制御部２３３が実行する処理については図示を省略している。
【００６８】
次に、図９のフローチャートを参照して、運賃収受サーバ４００が運賃収受に対応して実行する処理手順例について説明する。
運賃収受サーバ４００において、運賃計算部４３２は、入場対応の収受関連情報が受信されるのを待機する（ステップＳ４０１−ＮＯからステップＳ４０３−ＮＯとなり、ステップＳ４０１に戻る処理）。
運賃計算部４３２は、入場対応の収受関連情報が受信されると（ステップＳ４０１−ＹＥＳ）、受信された入場対応の収受関連情報を、収受関連情報記憶部４４１に記憶させる（ステップＳ４０２）。
【００６９】
また、運賃計算部４３２は、出場対応の収受関連情報が受信されるのを待機している（ステップＳ４０３−ＮＯからステップＳ４０１−ＮＯとなり、ステップＳ４０３に戻る処理）。
【００７０】
出場対応の収受関連情報が受信されると（ステップＳ４０３−ＹＥＳ）、運賃計算部４３２は、受信された出場対応の収受関連情報に対応する入場対応の収受関連情報を、収受関連情報記憶部４４１から取得する（ステップＳ４０４）。
受信された出場対応の収受関連情報に対応する入場対応の収受関連情報とは、受信された出場対応の収受関連情報が含むのと同じ身分証明書特定情報を含む入場対応の収受関連情報である。
【００７１】
次に、運賃計算部４３２は、運賃計算を実行する（ステップＳ４０５）。
このために、運賃計算部４３２は、ステップＳ４０３にて受信した入場対応の収受関連情報に含まれる入場駅情報が示す入場駅を認識する。また、運賃計算部４３２は、ステップＳ４０４にて取得した出場対応の収受関連情報に含まれる出場駅情報が示す出場駅を認識する。
運賃計算部４３２は、前述のように、認識した入場駅と出場駅とを、運賃情報記憶部４４２が記憶する運賃情報を照合して運賃を特定する。このように特定された運賃が運賃計算部４３２による運賃の計算結果である。
【００７２】
次に、クレジットカード特定情報取得部４３３は、ステップＳ４０３にて受信された出場対応の収受関連情報に含まれる身分証明書特定情報を参照する。なお、クレジットカード特定情報取得部４３３は、ステップＳ４０３にて受信された出場対応の収受関連情報に含まれる身分証明書特定情報に代えて、ステップＳ４０４にて取得された入場対応の収受関連情報に含まれる身分証明書特定情報を参照してもよい。これまでの説明から理解されるように、ステップＳ４０３にて受信された出場対応の収受関連情報とステップＳ４０４にて取得された入場対応の収受関連情報は、同じ身分証明書特定情報を含むからである。
クレジットカード特定情報取得部４３３は、参照した身分証明書特定情報に対応付けられたクレジットカード特定情報を、身分証明書登録情報記憶部４４３が記憶する身分証明書登録情報のうちから取得する（ステップＳ４０６）。
【００７３】
上記のステップＳ４０６において、クレジットカード特定情報取得部４３３は、参照した身分証明書特定情報が種別情報と身分証明書識別子とを含む場合、同じ種別情報と身分証明書識別子との組み合わせによる身分証明書特定情報を身分証明書登録情報から検索する。
そして、クレジットカード特定情報取得部４３３は、検索された身分証明書特定情報に対応付けられているクレジットカード特定情報を身分証明書登録情報から取得すればよい。
【００７４】
また、ステップＳ４０６において、クレジットカード特定情報取得部４３３は、参照した身分証明書特定情報が氏名情報と身分証明書識別子とを含む場合、同じ氏名情報と身分証明書識別子との組み合わせによる身分証明書特定情報を身分証明書登録情報から検索する。
但し、この場合において、クレジットカード特定情報取得部４３３は、参照した身分証明書特定情報における身分証明書識別子と同じ桁数の身分証明書識別子が定められた身分証明書の種別のみを対象として検索を行う。このように身分証明書識別子の桁数により身分証明書の種別を限定することで、氏名と身分証明書識別子とによる身分証明書特定情報により検索を行う場合における効率を高めることができる。
【００７５】
決済処理部４３４は、ステップＳ４０５により計算された運賃について、ステップＳ４０６により取得されたクレジットカード特定情報を利用して決済処理を実行する（ステップＳ４０７）。ステップＳ４０７の決済処理として、決済処理部４３４は、前述のように、カード会社間通信網７００経由でカード会社サーバ６００にクレジットカード特定情報の送信とともに、カード会社サーバ６００に対して運賃を請求する。
【００７６】
なお、上記の実施形態では、改札機２００あるいは登録装置３００は、ＩＣカード１００に種別情報が記憶されていない場合には、ＩＣカード１００が記憶する氏名情報と身分証明書識別子とを身分証明書特定情報として扱うようにしている。
しかし、例えば、身分証明書ごとの種別に応じてＩＣカード１００に記憶される身分証明書特定情報としての形式（情報の数、定義内容、サイズ、配列など）が既知であり、かつ、身分証明書の種別ごとに身分証明書特定情報の形式が全て異なっている場合には、以下のような構成であってもよい。
つまり、改札機２００あるいは登録装置３００は、通信相手のＩＣカード１００に種別情報が記憶されていない場合には、まず、ＩＣカード１００において記憶されている身分証明書特定情報の形式を認識する。改札機２００あるいは登録装置３００は、認識した形式に基づいて身分証明書としての種別を判定する。そして、改札機２００あるいは登録装置３００は、判定した種別を示す種別情報と、ＩＣカード１００から読み込んだ身分証明書識別子とを身分証明書特定情報として取得すればよい。
【００７７】
なお、上記実施形態の説明において、運賃収受に使用するＩＣカード１００の登録は、駅１に設備として備えられる登録装置３００により行われる例を挙げている。しかし、例えば、利用客が所有するネットワーク端末をネットワーク経由で運賃収受サーバ４００と接続することにより運賃収受に使用するＩＣカード１００の登録が行えるようにしてもよい。
この場合、利用客は、ネットワーク端末に対する操作によって身分証明書特定情報とクレジットカード特定情報とを入力すればよい。登録装置３００は、入力された身分証明書特定情報とクレジットカード特定情報とによる身分証明書登録情報を身分証明書登録情報記憶部４４３に記憶させることで登録を行えばよい。
この場合において、利用客が登録に使用するネットワーク端末としては、例えばパーソナルコンピュータ、携帯電話、スマートフォン、タブレット端末などを挙げることができる。
【００７８】
また、上記実施形態による運賃収受システムは、複数種別のＩＣカード１００に対応して運賃収受が可能な構成を例に挙げている。しかし、本実施形態の運賃収受システムとしては、特定の１つの種別のＩＣカード１００に対応して運賃収受が可能なように構成されてもよい。このような構成の場合、ＩＣカードとしての種別は１つで固定になるので、身分証明書特定情報には種別情報を含めずに、身分証明書識別子のみとしてもよい。
【００７９】
以上説明した少なくともひとつの実施形態によれば、ＩＣカードの身分証明書登録情報とクレジットカード特定情報とを対応付け、ＩＣカードが改札機にて使用されるのに応じて、対応のクレジットカード特定情報を利用した決済が行われるようにした運賃収受システムの構成を持つことにより、個人が所有している身分証明書用途のＩＣカードを運賃収受に利用できるようになり、事業者のＩＣカード発行にかかわるコストを削減することができる運賃収受システム及び運賃収受サーバを提供することができる。
【００８０】
なお、上述のＩＣカード１００、改札機２００、登録装置３００、運賃収受サーバ４００などの機能を実現するためのプログラムをコンピュータ読み取り可能な記録媒体に記録して、この記録媒体に記録されたプログラムをコンピュータシステムに読み込ませ、実行することにより上述のＩＣカード１００、改札機２００、登録装置３００、運賃収受サーバ４００などとしての各処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【００８１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８２】
１…駅、１００…ＩＣカード、１０１…通信部、１０２…制御部、１０３…記憶部、２００…改札機、２０１…カード対応通信部、２０２…駅間通信網対応通信部、２０３…制御部、２０４…構内側扉、２０５…構外側扉、２３１…身分証明書特定情報取得部、２３２…収受関連情報送信部、２３３…改札動作制御部、３００…登録装置、３０１…カード対応通信部、３０２…操作部、３０３…駅間通信網対応通信部、３０４…制御部、３４１…特定情報取得部、３４２…登録要求送信部、４００…運賃収受サーバ、４０１…駅間通信網対応通信部、４０２…カード会社間通信網対応通信部、４０３…制御部、４０４…記憶部、４３１…登録処理部、４３２…運賃計算部、４３３…クレジットカード特定情報取得部、４３４…決済処理部、４４１…収受関連情報記憶部、４４２…運賃情報記憶部、４４３…身分証明書登録情報記憶部、５００…駅間通信網、６００…カード会社サーバ、７００…カード会社間通信網
【図１】
2015170092.tif 000003
【図２】
2015170092.tif 000004
【図３】
2015170092.tif 000005
【図４】
2015170092.tif 000006
【図５】
2015170092.tif 000007
【図６】
2015170092.tif 000008
【図７】
2015170092.tif 000009
【図８】
2015170092.tif 000010
【図９】
2015170092.tif 000011